(57)【特許請求の範囲】
【請求項１】
外部からの指令を受けて、記憶部に記憶された楽曲データで示される楽曲それぞれに対し、該楽曲を再生出力させる際のパラメータを変更可能なパラメータ変更手段と、
前記記憶部に記憶された楽曲データで示される楽曲を、該楽曲について前記パラメータ変更手段により変更されたパラメータに従ってスピーカから再生出力させる楽曲再生手段と、
所定の楽曲再生装置から再生出力された楽曲を入力する楽曲入力手段と、
前記楽曲入力手段により入力された楽曲を、前記記憶部に記憶された楽曲データのうち、ユーザと対応づけられた楽曲データで示される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う楽曲認証手段と、
前記楽曲認証手段による比較に先立ち、前記記憶部に記憶された楽曲データで示される楽曲のうち、ユーザと対応づけられた楽曲データで示される楽曲それぞれについて、前記パラメータ変更手段により変更されているパラメータを元に戻すことにより、該楽曲それぞれのパラメータを前記楽曲入力手段により入力された楽曲と整合させるパラメータ整合手段と、を備えており、
前記楽曲認証手段は、前記楽曲入力手段により入力された楽曲を、前記パラメータ整合手段によりパラメータが整合させられた楽曲と比較することにより、ユーザの認証を行う
ことを特徴とするカラオケ装置。
【請求項２】
前記楽曲再生手段は、前記楽曲入力手段により楽曲が入力された場合、前記パラメータ整合手段によりパラメータが整合させられた楽曲それぞれをスピーカから出力させることなく再生させて、
前記楽曲認証手段は、前記楽曲入力手段により入力された楽曲を、前記楽曲再生手段によりパラメータが整合させられた状態で再生される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う
ことを特徴とする請求項１に記載のカラオケ装置。
【請求項３】
楽曲を再生可能な楽曲再生装置と、該楽曲再生装置のユーザ認証機能を有するカラオケ装置と、からなる認証システムであって、
前記楽曲再生装置は、
当該楽曲再生装置の備える記憶部に記憶された楽曲データに基づき、該楽曲データで示される楽曲をスピーカから再生出力させる楽曲出力手段、
を備えており、
前記カラオケ装置は、
外部からの指令を受けて、記憶部に記憶された楽曲データで示される楽曲それぞれに対し、該楽曲を再生出力させる際のパラメータを変更可能なパラメータ変更手段と、
前記記憶部に記憶された楽曲データで示される楽曲を、該楽曲について前記パラメータ変更手段により変更されたパラメータに従ってスピーカから再生出力させる楽曲再生手段と、
所定の楽曲再生装置から再生出力された楽曲を入力する楽曲入力手段と、
前記楽曲入力手段により入力された楽曲を、前記記憶部に記憶された楽曲データのうち、ユーザと対応づけられた楽曲データで示される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う楽曲認証手段と、
前記楽曲認証手段による比較に先立ち、前記記憶部に記憶された楽曲データで示される楽曲のうち、ユーザと対応づけられた楽曲データで示される楽曲それぞれについて、前記パラメータ変更手段により変更されているパラメータを元に戻すことにより、該楽曲それぞれのパラメータを前記楽曲入力手段により入力された楽曲と整合させるパラメータ整合手段と、を備えており、
前記楽曲入力手段により入力された楽曲と、前記パラメータ整合手段によりパラメータが整合させられた楽曲との比較により、前記楽曲認証手段によるユーザの認証が行われる
ことを特徴とする認証システム。
【発明の詳細な説明】
【技術分野】
【０００１】
本発明は、楽曲再生装置から再生出力される楽曲に基づくユーザの認証機能を有するカラオケ装置に関する。
【背景技術】
【０００２】
近年、楽曲再生装置（携帯端末）から再生出力される楽曲を入力し、この楽曲が登録済ユーザ（チケット情報に対応する楽曲）のものであるかを判定することにより、この楽曲再生装置のユーザを認証する認証装置が提案されている（特許文献１参照）。
【先行技術文献】
【特許文献】
【０００３】
【特許文献１】特許第４５０１９５３号公報
【発明の概要】
【発明が解決しようとする課題】
【０００４】
ここで、認証装置としては、カラオケ装置などのように、再生出力する楽曲毎にパラメータ（例えば、音程を設定する音高キー値（以下、キー）や、再生速度を設定するテンポ値（以下、テンポ）など）を設定変更する機能が備えられた装置への実装が考えられるところ、この機能に基づいて、ある登録済ユーザに対応づけられた楽曲のパラメータが変更されていると、楽曲再生装置から登録済ユーザに対応する楽曲を再生出力させたにも拘わらず、この楽曲が、パラメータの変更された状態の同一楽曲と比較される結果、登録済ユーザに対応する楽曲ではないと判定してしまい、ユーザを正しく認証できなくなる恐れがある。
【０００５】
本発明は、このような課題を解決するためになされたものであり、その目的は、ある登録済ユーザに対応する楽曲のパラメータが変更されている場合であっても、その楽曲に基づくユーザの認証を正しく行えるようにすることである。
【課題を解決するための手段】
【０００６】
上記課題を解決するため第１の構成（請求項１）は、外部からの指令を受けて、記憶部に記憶された楽曲データで示される楽曲それぞれに対し、該楽曲を再生出力させる際のパラメータを変更可能なパラメータ変更手段と、前記記憶部に記憶された楽曲データで示される楽曲を、該楽曲について前記パラメータ変更手段により変更されたパラメータに従ってスピーカから再生出力させる楽曲再生手段と、所定の楽曲再生装置から再生出力された楽曲を入力する楽曲入力手段と、前記楽曲入力手段により入力された楽曲を、前記記憶部に記憶された楽曲データのうち、ユーザと対応づけられた楽曲データで示される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う楽曲認証手段と、前記楽曲認証手段による比較に先立ち、前記記憶部に記憶された楽曲データで示される楽曲のうち、ユーザと対応づけられた楽曲データで示される楽曲それぞれについて、前記パラメータ変更手段により変更されているパラメータを元に戻すことにより、該楽曲それぞれのパラメータを前記楽曲入力手段により入力された楽曲と整合させるパラメータ整合手段と、を備えている。
【０００７】
そして、前記楽曲認証手段は、前記楽曲入力手段により入力された楽曲を、前記パラメータ整合手段によりパラメータが整合させられた楽曲と比較することにより、ユーザの認証を行う。
【０００８】
この構成に係るカラオケ装置であれば、あるユーザに対応づけられた楽曲データで示される楽曲のパラメータが変更されていたとしても、楽曲再生装置から再生出力された楽曲に基づくユーザの認証に先立って、上記楽曲データで示される楽曲それぞれのパラメータが元に戻される。その結果、楽曲再生装置からユーザに対応する楽曲を再生出力させた場合に、この楽曲が、パラメータの変更されていない状態の同一楽曲と比較されることとなるため、ユーザの認証を正しく行えるようになる。
【０００９】
この構成において、楽曲再生装置側で変更される「楽曲を再生出力させる際のパラメータ」とは、例えば、再生出力する楽曲のキー（変更前の楽曲を基準とした音程の高低度合い）、テンポ（時間方向の長さ）、音声レベル、帯域などのパラメータのことである。
【００１０】
また、上記構成において、ユーザの認証は、楽曲再生装置から再生出力された楽曲における周波数やレベルなどの成分波形を、ユーザと対応づけられた楽曲データで示される楽曲における成分波形それぞれと比較することで行うこととすればよい。
【００１１】
具体的には、前者の楽曲を楽曲データとして記憶したうえで、この楽曲における成分波形を、後者の楽曲における成分波形それぞれと比較することとしてもよいし、前者の楽曲が入力されるタイミングに合わせ、この楽曲における成分波形を、後者の楽曲における成分波形それぞれとリアルタイムに比較することとしてもよい。
【００１２】
ここで、前者の楽曲が入力されるタイミングに合わせて、この楽曲における成分波形を、後者の楽曲における成分波形それぞれとリアルタイムに比較する場合には、カラオケ装置側で後者の楽曲それぞれを再生出力することが考えられるが、この場合、後者の楽曲それぞれが楽曲再生装置による楽曲と同時に出力されることになるため、このことが楽曲再生装置のユーザに違和感を与えてしまう恐れがある。
【００１３】
そのため、このような場合には、カラオケ装置側で後者の楽曲それぞれが出力されないようにすることが望ましく、そのための構成としては、上記構成を以下に示す第２の構成（請求項２）のようにするとよい。
【００１４】
第２の構成において、前記楽曲再生手段は、前記楽曲入力手段により楽曲が入力された場合、前記パラメータ整合手段によりパラメータが整合させられた楽曲それぞれをスピーカから出力させることなく再生させて、前記楽曲認証手段は、前記楽曲入力手段により入力された楽曲を、前記楽曲再生手段によりパラメータが整合させられた状態で再生される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う。
【００１５】
この構成であれば、楽曲再生装置から再生出力された楽曲を、ユーザと対応づけられた楽曲データで示される楽曲それぞれと比較するに際し、後者の楽曲それぞれが楽曲再生装置による楽曲と同時に出力されることがなくなるため、楽曲再生装置のユーザに違和感を与えてしまうことを防止できる。
【００１６】
なお、上記課題を解決するためには、上記各構成要素における各手段と同様の手順を各構成要素に実施させるプログラムとすることも考えられ、このプログラムを実行する構成要素それぞれは、上記各構成と同様の作用、効果を得ることができる。
【００１７】
このプログラムは、コンピュータシステムによる処理に適した命令の順番付けられた列からなるものであって、各種記録媒体や通信回線を介してカラオケ装置や、これを利用するユーザ等に提供されるものとすればよい。
【００１８】
また、上記課題を解決するため第３の構成（請求項３）は、楽曲を再生可能な楽曲再生装置と、該楽曲再生装置のユーザ認証機能を有するカラオケ装置と、からなる認証システムである。
【００１９】
前記楽曲再生装置は、当該楽曲再生装置の備える記憶部に記憶された楽曲データに基づき、該楽曲データで示される楽曲をスピーカから再生出力させる楽曲出力手段、を備えている。
【００２０】
一方、前記カラオケ装置は、外部からの指令を受けて、記憶部に記憶された楽曲データで示される楽曲それぞれに対し、該楽曲を再生出力させる際のパラメータを変更可能なパラメータ変更手段と、前記記憶部に記憶された楽曲データで示される楽曲を、該楽曲について前記パラメータ変更手段により変更されたパラメータに従ってスピーカから再生出力させる楽曲再生手段と、所定の楽曲再生装置から再生出力された楽曲を入力する楽曲入力手段と、前記楽曲入力手段により入力された楽曲を、前記記憶部に記憶された楽曲データのうち、ユーザと対応づけられた楽曲データで示される楽曲それぞれと比較し、所定のしきい値以上の類似度となった楽曲を示す楽曲データに対応づけられたユーザが、前記入力された楽曲を再生出力した前記楽曲再生装置のユーザであるとして認証を行う楽曲認証手段と、前記楽曲認証手段による比較に先立ち、前記記憶部に記憶された楽曲データで示される楽曲のうち、ユーザと対応づけられた楽曲データで示される楽曲それぞれについて、前記パラメータ変更手段により変更されているパラメータを元に戻すことにより、該楽曲それぞれのパラメータを前記楽曲入力手段により入力された楽曲と整合させるパラメータ整合手段と、を備えている。そして、前記楽曲入力手段により入力された楽曲と、前記パラメータ整合手段によりパラメータが整合させられた楽曲との比較により、前記楽曲認証手段によるユーザの認証が行われる。
【００２１】
この構成に係る認証システムによれば、上記各構成に係るカラオケ装置と同様の作用、効果を得ることができる。
【図面の簡単な説明】
【００２２】
【図１】認証システムの全体構成を示すブロック図
【図２】認証システムによる処理手順を示す図
【図３】ユーザ認証の準備までの手順を示すフローチャート
【図４】ユーザ認証の準備までの手順を示すフローチャート（１／２）
【図５】ユーザの認証を行う手順を示すフローチャート（２／２）
【発明を実施するための形態】
【００２３】
以下に本発明の実施形態を図面と共に説明する。
（１）全体構成
認証システム１は、ユーザを認証するためのシステムであり、図１に示すように、ユーザの所有する端末装置２と、端末装置２によるユーザ認証機能が実装されたカラオケ装置４と、端末装置２およびカラオケ装置４それぞれと通信可能な管理装置６と、からなる。
【００２４】
端末装置２は、ＣＰＵ、ＲＯＭ、ＲＡＭ、ＥＥＰＲＯＭなどを内蔵した制御部２１、制御部２１による処理結果などを記憶する記憶部２３、モニタや操作パネルなどからなるユーザインタフェース（Ｕ／Ｉ）２５、ネットワーク１００を介した通信（無線通信）を制御する通信部２７、マイク３１からの音声の入力およびスピーカ３３からの音声の出力を制御する音声処理部２９、などを備えた携帯電話端末である。
【００２５】
なお、端末装置２は、記憶部２３に記憶された楽曲データで示される楽曲を、音声処理部２９を介してスピーカ３３から再生出力させる楽曲再生機能を有している。
カラオケ装置４は、ＣＰＵ、ＲＯＭ、ＲＡＭなどからなる制御部４１、制御部４１による処理結果などを記憶する記憶部４３、キーボードなどからなるユーザインタフェース（Ｕ／Ｉ）４５、ネットワーク１００を介した通信を制御する通信部４７、マイク５１からの音声の入力およびスピーカ５３からの音声の出力を制御する音声処理部４９などを備えている。
【００２６】
なお、カラオケ装置４は、上述したユーザ認証機能の他、記憶部４３に格納された楽曲データで示される楽曲をスピーカ５３から再生出力させる楽曲再生機能や、この機能で再生出力する楽曲のパラメータを設定変更するパラメータ変更機能、なども有している。
【００２７】
管理装置６は、ＣＰＵ、ＲＯＭ、ＲＡＭなどからなる制御部６１、制御部６１による処理結果などを記憶する記憶部６３、キーボードなどからなるユーザインタフェース（Ｕ／Ｉ）６５、ネットワーク１００を介した通信を制御する通信部６７などを備えたサーバーである。
【００２８】
このような構成の認証システム１の動作を図２に基づいて説明する。
この認証システム１では、まず、端末装置２が管理装置６へと登録要求を行うと（ａ）、管理装置６が、登録要求に伴う識別情報に応じた楽曲データを選択、登録した後（ｂ）、この楽曲データを端末装置２へと送信すると共に（ｃ）、この楽曲データと識別情報とをカラオケ装置４へと送信する（ｄ）。端末装置２は、この楽曲データを記憶部２３に記憶させ（ｅ）、また、カラオケ装置４は、この楽曲データと識別情報とを対応づけて記憶部４３に記憶させる（ｆ）。こうしてカラオケ装置４に対するユーザ登録が行われ、ユーザ認証の準備が整う。
【００２９】
カラオケ装置４は、上記のように、パラメータ変更機能を有しており、楽曲の指定およびパラメータの変更を行うための操作（変更するパラメータ、および、その変更量の指令を伴う操作）を受けることで、パラメータ変更機能に基づいて指定楽曲の該当パラメータが設定変更される（ｇ）。
【００３０】
本実施形態では、記憶部４３に記憶された楽曲データそれぞれに、その楽曲データで示される楽曲のパラメータ変更値を示す変更情報（初期値：変更量０）が対応づけられており、この変更情報が、操作にて指令された変更内容に応じた変更量に更新される。なお、パラメータは、キー（周波数分布）、テンポ（時間方向の長さ）、音声レベル、帯域などのうちの１以上が選択的に使用される。
【００３１】
その後、カラオケ装置４にてユーザを認証（本実施形態では、特定の楽曲を再生出力するための認証）するに際しては、ユーザが所有する端末装置２の楽曲再生機能により、先に記憶部２３に記憶された楽曲データで示される楽曲（認証楽曲）を再生出力させ、これをカラオケ装置４に入力させる（ｈ）。
【００３２】
こうして、端末装置２が再生出力した認証楽曲を入力したカラオケ装置４は、記憶部４３に記憶されている楽曲データで示される楽曲（対象楽曲）のうち、上述のようにパラメータが設定変更されている楽曲のパラメータにつき、そのパラメータの変更量を初期値０に戻して認証楽曲と整合させたうえで、各対象楽曲を再生させる（ｉ）。
【００３３】
そして、カラオケ装置４は、認証楽曲と対象楽曲それぞれとの対比を行い、その結果、認証楽曲と一致する（所定割合以上の近似を含む）対象楽曲を示す楽曲データにつき、これに対応するユーザが端末装置２のユーザであるとして認証する（ｊ）。
【００３４】
こうして、ユーザの認証を行った後、カラオケ装置４は、上述のようにパラメータが初期値に戻された楽曲それぞれについて、再度、そのパラメータを先に変更されていたのと同じ設定に変更し直す（ｋ）。
【００３５】
この後、カラオケ装置４は、ユーザの認証が正しく行われた場合、あらかじめ定められた楽曲の再生出力を行う（ｌ）。
（２）ユーザ認証の準備までの手順
以下に、端末装置２とカラオケ装置４との間でユーザ認証の準備が整えられるまでの手順を、図３に示す各装置の処理に基づいて説明する。
（２−１）端末装置２による操作受付処理
はじめに、端末装置２の制御部２１により実行される操作受付処理の処理手順を説明する。この操作受付処理は、ユーザインタフェース２５の操作パネルを介して操作が受け付けられる毎に行われる。
【００３６】
この操作受付処理が開始されると、まず、受け付けられた操作が「ユーザ登録操作」であるか否かがチェックされる（ｓ１１０）。「ユーザ登録操作」は、ユーザ登録を管理装置６に要求するための操作であり、あらかじめ所定の操作内容が割り当てられている。
【００３７】
このｓ１１０で「ユーザ登録操作」が受け付けられたと判定された場合（ｓ１１０：ＹＥＳ）、端末装置２のユーザに割り当てられた識別情報を伴う登録要求が管理装置６へと送信される（ｓ１２０）。本実施形態において、識別情報は、あらかじめ制御部２３のＥＥＰＲＯＭや記憶部２３に記憶されたものであるが、都度ユーザに入力させてもよい。
【００３８】
この登録要求を受信した管理装置６からは、管理装置６側で識別情報に対応づけられた楽曲データが送信されてくる。
こうして、登録要求が送信された後、管理装置６から楽曲データが受信されたら、この楽曲データが認証用の認証楽曲を示すものとして記憶部２３に記憶され（ｓ１３０）、その旨のメッセージがユーザインタフェース２５のモニタに表示された後（ｓ１４０）、本操作受付処理が終了する。
【００３９】
また、受け付けられた操作が「ユーザ登録操作」でないと判定された場合（ｓ１１０：ＮＯ）、その操作に対応する処理（その他の処理）が行われた後（ｓ１７０）、本操作受付処理が終了する。なお、ここで行われる処理の一部が、後述する被認証処理である。
（２−２）管理装置６によるユーザ登録処理
続いて、管理装置６の制御部６１により実行されるユーザ登録処理の処理手順を説明する。このユーザ登録処理は、端末装置２から登録要求を受ける毎に行われる。
【００４０】
このユーザ登録処理が開始されると、まず、登録要求に伴う識別情報に応じた楽曲データが、あらかじめ用意された複数の楽曲データの中から選択される（ｓ２１０）。
ここでは、識別情報に応じて、あらかじめ記憶部６３に記憶された複数の楽曲データの中からランダムに選択するように構成されているが、識別情報からユーザの属性（例えば、性別、年齢、所属など）なども識別できるように構成した場合であれば、その属性に合わせた楽曲を示す楽曲データを選択することとしてもよい。
【００４１】
次に、登録要件に伴う識別情報と、上記ｓ２１０にて選択された楽曲データとが対応づけられた状態で、記憶部６３に記憶されているデータベースに登録される（ｓ２２０）。ここでは、楽曲データ（のアドレス）、識別情報の他、この楽曲データで示される楽曲の楽曲番号や、この楽曲におけるパラメータの初期値などがセットされたレコードがデータベースに登録される。
【００４２】
次に、上記ｓ２１０にて選択された楽曲データが、登録要求の送信元である端末装置２へと送信される（ｓ２３０）。この楽曲データは、端末装置２が操作受付処理のｓ１３０にて受信するものである。
【００４３】
次に、上記ｓ２１０にて選択された楽曲データ、および、登録要求に伴う識別情報が、カラオケ装置４へと送信される（ｓ２４０）。この楽曲データおよび識別情報を受信したカラオケ装置４では、これらの受信を契機に開始される楽曲登録処理において、識別情報と楽曲データとが対応づけられた状態で記憶部４３に記憶される（ｓ３１０）。
（２−３）カラオケ装置４による設定変更処理
続いて、カラオケ装置４の制御部４３により実行される設定変更処理の処理手順を図４に基づいて説明する。この設定変更処理は、設定変更操作が行われることで開始される。この「設定変更操作」とは、記憶部４３に記憶されているいずれかの楽曲データで示される楽曲につき、そのパラメータを変更する楽曲として指定すると共に、パラメータの変更量を指定する操作であり、あらかじめ所定の操作内容が割り当てられている。
【００４４】
この設定変更処理が起動されると、まず、設定変更操作により指定された楽曲を示す楽曲データが記憶部４３から読み出される（ｓ３２０）。
そして、上記ｓ３２０にて読み出された楽曲データで示される楽曲のパラメータが設定変更された後（ｓ３３０）、本設定変更処理が終了する。このｓ３３０では、楽曲データに対応する変更情報が、設定変更操作にて指定された変更内容に応じた変更量に更新される。
（３）ユーザの認証を行う手順
以下に、端末装置２とカラオケ装置４との間でユーザの認証を行う手順を、図５に示す各装置の処理に基づいて説明する。
（３−１）端末装置２による被認証処理
はじめに、端末装置２の制御部２１により実行される被認証処理の処理手順を説明する。この被認証処理は、ユーザインタフェース２５の操作パネルを介して、ユーザ認証を開始する旨の操作が受け付けられる毎に行われる。
【００４５】
この被認証処理が開始されると、まず、操作受付処理（ｓ１３０）において認証楽曲を示すものとして記憶部２３に記憶された楽曲データが読み出される（ｓ４５０）。
次に、上記ｓ４５０にて読み出された楽曲データで示される認証楽曲がスピーカ３３から再生出力される（ｓ４６０）。（図５、ｓ４６０記載抜け、あり）
こうして再生出力された認証楽曲は、カラオケ装置４のマイク５１から入力され、カラオケ装置４からは、この認証楽曲に基づく認証が行われた後、その認証結果が送信されてくる。
【００４６】
上記ｓ４６０にて認証楽曲が再生出力された後、カラオケ装置４からの認証結果が受信されるまで待機状態となり（ｓ４７０：ＮＯ）、認証結果が受信されたら（ｓ４７０：ＹＥＳ）、その認証結果がユーザインタフェース２５のモニタに表示されて（ｓ４８０）、被認証処理が終了する。
（３−２）カラオケ装置４のユーザ認証処理
続いて、カラオケ装置４の制御部４１により実行されるユーザ認証処理の処理手順を説明する。このユーザ認証処理は、ユーザインタフェース４５の操作パネルを介してユーザ認証を開始するための操作が行われた以降、繰り返し実行される。
【００４７】
このユーザ認証処理が開始されると、まず、マイク５１から所定以上のレベルでの音声入力が開始されるまで待機状態となり（ｓ５１０：ＮＯ）、その後、音声の入力が開始されたら（ｓ５１０：ＹＥＳ）、スピーカ５３を介した音声出力が中断される（ｓ５２０）。ここでは、音声処理部４９を介したスピーカ５３からの出力を行わないようにすることで、音声出力が中断される。
【００４８】
次に、楽曲登録処理にて記憶部４３に記憶された楽曲データで示される対象楽曲におけるパラメータの変更量を初期値０に戻すことにより、これら対象楽曲におけるパラメータを認証楽曲に整合させる（ｓ５３０）。ここでは、記憶部４３に記憶された楽曲データのうち、初期値０以外を示す変更情報が対応づけられている楽曲データに対してのみ、その変更情報が初期値０に戻され、これにより、認証楽曲と全ての対象楽曲とのパラメータを整合（変更量「０」で整合）させている。
【００４９】
次に、記憶部４３に記憶された楽曲データで示される対象楽曲それぞれが再生され、こうして再生される対象楽曲それぞれと、入力されている認証楽曲との比較が行われる（ｓ５４０）。ここでは、全ての対象楽曲の再生が開始され、以降、各対象楽曲における周波数やレベルなどの波形成分が認証楽曲における成分波形と比較される。
【００５０】
なお、ここでの比較は、認証楽曲および対象楽曲の全期間にわたって行われることとしてもよいが、それぞれの一部期間のみにわたって行われることとしてもよい。また、ここまでのタイムラグを考慮した時間位置から対象楽曲を再生させて比較したり、ズラした時間位置を基準として認証楽曲と比較することが望ましい。
【００５１】
こうして、上記ｓ５４０での比較の結果、対象楽曲の中に認証楽曲と一致（所定割合以上の近似を含む）する対象楽曲が存在しているか否かがチェックされる（ｓ５５０）。
このｓ５５０にて一致する対象楽曲が存在していると判定された場合（ｓ５５０：ＹＥＳ）、端末装置２のユーザが、この対象楽曲を示す楽曲データに対応する識別情報のユーザとして正しく認識できた旨の認証結果が、端末装置２へと送信される（ｓ５６０）。
【００５２】
こうして認証結果が送信されたら、上記ｓ５３０にて認証楽曲に整合させられた対象楽曲のパラメータが、先に変更されていたのと同じ設定に変更し直された後（ｓ５６２）、上記ｓ５２０にて中断された音声出力が再開される（ｓ５７０）。
【００５３】
一方、上記ｓ５５０にて一致する対象楽曲が存在していないと判定された場合（ｓ５５０：ＮＯ）、ユーザを正しく認証できない旨の認証結果が、端末装置２へと送信される（ｓ５８０）。
【００５４】
こうして認証結果が送信されたら、上記ｓ５３０にて認証楽曲に整合させられた対象楽曲のパラメータが、先に変更されていたのと同じ設定に変更し直された後（ｓ５８２）、上記ｓ５２０にて中断された音声出力が再開される（ｓ５９０）。
【００５５】
なお、これら認証結果は、端末装置２が被認証処理のｓ４７０にて受信するものであり、これを受信した端末装置２では、その結果がモニタに表示される。
こうして、認証結果が送信され、音声出力が再開された後は、上記ｓ５６０にて正しく認証できた場合に限り、該当する楽曲の再生出力が開始されてから（ｓ６００）、プロセスがｓ５１０へと戻る。一方、上記ｓ５８０にて正しく認証できない場合は、楽曲の再生出力が行われることなく、プロセスがｓ５１０へと戻る。
【００５６】
本実施形態において、上記ｓ６００にて再生出力される楽曲は、上記ｓ５５０にて認証楽曲と一致すると判定された対象楽曲であるが、認証されたユーザやカラオケ装置４に対応づけられた特定の楽曲であってもよいし、時刻や場所などの環境に応じた特定の楽曲であってもよい。ここで再生出力される楽曲は、パラメータが設定変更されていれば、その変更されたパラメータに基づいて再生出力され、パラメータが設定変更されていなければ、初期値のパラメータに基づいて再生出力される。
（４）作用，効果
上記認証システム１におけるカラオケ装置４であれば、あるユーザに対応づけられた楽曲データで示される楽曲のパラメータが変更されていたとしても（図４のｓ３３０）、端末装置２から再生出力された楽曲に基づくユーザの認証に先立って、ユーザと対応づけられた楽曲データで示される楽曲それぞれのパラメータが変更量「０」に戻される（図５のｓ５３０）。その結果、端末装置２からユーザに対応する楽曲を再生出力させた場合に、この楽曲が、パラメータの変更されていない状態の同一楽曲と比較されることとなるため、ユーザの認証を正しく行えるようになる。
【００５７】
また、上記実施形態においては、端末装置２から再生出力された楽曲を対象楽曲それぞれと比較するに際し、音声出力を中断することによって（図５のｓ５２０）、対象楽曲それぞれが端末装置２による認証楽曲と同時に出力されないようにしている。これにより、対象楽曲と認証楽曲とが同時に再生出力されることによる違和感を端末装置２のユーザに与えてしまわないようにすることができる。
（５）変形例
以上、本発明の実施の形態について説明したが、本発明は、上記実施形態に何ら限定されることはなく、本発明の技術的範囲に属する限り種々の形態をとり得ることはいうまでもない。
【００５８】
例えば、上記実施形態では、カラオケ装置４と管理装置６とがそれぞれ通信可能な別体の装置として構成されている場合を例示したが、これら装置は、一体の装置として構成されていてもよい。
【００５９】
また、上記実施形態では、認証楽曲の入力されるタイミングに合わせ、この楽曲における成分波形を、対象楽曲における波形それぞれとリアルタイムに比較することによりユーザの認証が行われている。しかし、ユーザの認証に際しては、認証楽曲を楽曲データとして記憶したうえで、この楽曲における成分波形を、対象楽曲における成分波形それぞれと事後的に比較することとしてもよい。
（６）本発明との対応関係
以上説明した実施形態において、端末装置２が本発明における楽曲再生装置であり、図５のｓ４６０が本発明における楽曲出力手段である。
【００６０】
また、図４のｓ３３０が本発明におけるパラメータ変更手段であり、図５のｓ５４０が本発明における楽曲再生手段であり、同図ｓ５１０が本発明における楽曲入力手段であり、同図ｓ５４０，ｓ５５０が本発明における楽曲認証手段であり、同図ｓ５３０が本発明におけるパラメータ整合手段である。
【符号の説明】
【００６１】
１…認証システム、２…端末装置、２１…制御部、２３…記憶部、２５…ユーザインタフェース、２７…通信部、２９…音声処理部、３１…マイク、３３…スピーカ、４…カラオケ装置、４１…制御部、４３…記憶部、４５…ユーザインタフェース、４７…通信部、４９…音声処理部、５１…マイク、５３…スピーカ、６…管理装置、６１…制御部、６３…記憶部、６５…ユーザインタフェース、６７…通信部、１００…ネットワーク。
【図１】
0005246237.tif 000002
【図２】
0005246237.tif 000003
【図３】
0005246237.tif 000004
【図４】
0005246237.tif 000005
【図５】
0005246237.tif 000006